(57)【要約】【課題】マンションの専有住戸におけるバルコニーに、外気や自然との直接的な接触を効果的に図ることのできる空間を備えたバルコニー構造を提供する。【解決手段】バルコニー１の一部に、テーブル７と椅子８を配置することのできる広さで、バルコニー１の残部よりも室外側に膨出した膨出空間部１ａを設け、バルコニー１には、少なくとも、居間・食事室２の掃き出し窓２ａから出入り自在とする。また、膨出空間部１ａに近接する外壁３に窓部４を形成し、窓部４の室内側にキッチン台５を設けると共に、窓部４の室外側にカウンター６を設ける。【選択図】      図１
0003107976.tif 000002
【実用新案登録請求の範囲】
【請求項１】
マンションの専有住戸のバルコニー構造であって、バルコニー（１）の一部に，テーブル（７）と椅子（８）を配置することのできる広さで，前記バルコニーの残部よりも室外側に膨出した膨出空間部（１ａ）を設け、前記バルコニーには，少なくとも，居間・食事室（２）の掃き出し窓（２ａ）から出入り自在としてなるマンションの専有住戸のバルコニー構造。
【請求項２】
マンションの専有住戸のバルコニー構造であって、バルコニー（１）の一部に，テーブル（７）と椅子（８）を配置することのできる広さで，前記バルコニーの残部よりも室外側に膨出した膨出空間部（１ａ）を設け、前記バルコニーには，少なくとも，居間・食事室（２）の掃き出し窓（２ａ）から出入り自在とし、前記膨出空間部に近接する外壁（３）に窓部（４）を形成し，前記窓部の室内側にキッチン台（５）を設けると共に，前記窓部の室外側にカウンター（６）を設けてなるマンションの専有住戸のバルコニー構造。
【考案の詳細な説明】
【技術分野】
【０００１】
本考案は、マンションの専有住戸におけるバルコニーに、外気や自然との接触を直接、効果的に図ることのできる空間を備えたバルコニー構造に関するものである。
【背景技術】
【０００２】
従来、マンションの専有住戸には、一般に、バルコニーが設けられている。このバルコニーは、外気や自然との直接な触れあいを図り、開放感を醸し出すといった環境衛生上の役目を担っている。
【考案の開示】
【考案が解決しようとする課題】
【０００３】
しかし、従来のバルコニーは、実際には、洗濯物を干す場所、あるいはプラントを並べ置く場所として利用される程度であり、外気や自然との接触を図るために充分に有効利用されているとは言えない。
【０００４】
マンションの専有住戸の多くは一般の戸建て住宅より高層部に位置しており、従って、外気や自然に直接触れあうことのできる環境にあるものの、従来のバルコニーはこうした利点を生かし切れているとは言えない。
【０００５】
本考案はこうした点に鑑み創案されたもので、マンションの専有住戸におけるバルコニーに、外気や自然との直接的な接触を効果的に図ることのできる空間を備えたバルコニー構造を提供することを課題とする。
【課題を解決するための手段】
【０００６】
図１および図２を参照して説明する。請求項１に記載の考案は、マンションの専有住戸のバルコニー構造であって、  バルコニー１の一部に、テーブル７と椅子８を配置することのできる広さで、前記バルコニー１の残部よりも室外側に膨出した膨出空間部１ａを設け、前記バルコニー１には、少なくとも、居間・食事室２の掃き出し窓２ａから出入り自在としたものである。
【０００７】
請求項２に記載の考案は、マンションの専有住戸のバルコニー構造であって、  バルコニー１の一部に、テーブル７と椅子８を配置することのできる広さで、前記バルコニー１の残部よりも室外側に膨出した膨出空間部１ａを設け、前記バルコニー１には、少なくとも、居間・食事室２の掃き出し窓２ａから出入り自在とし、前記膨出空間部１ａに近接する外壁３に窓部４を形成し、前記窓部４の室内側にキッチン台５を設けると共に、前記窓部４の室外側にカウンター６を設けたものである。
【考案の効果】
【０００８】
請求項１に記載のマンションの専有住戸のバルコニー構造は、バルコニー１の一部に、テーブル７と椅子８を配置することのできる広さで、前記バルコニー１の残部よりも室外側に膨出した膨出空間部１ａを設け、前記バルコニー１には、少なくとも、居間・食事室２の掃き出し窓２ａから出入り自在としたので、前記膨出空間部１ａにテーブル７と椅子８を置き、そこで食事をしたり、お茶を楽しむなど、居間・食事室２で行っていることと同じ生活を、外気や自然に直接触れながら行うことができる。従って、その多くが高層部に存在するマンションの専有住戸の利点（外気と自然に直接触れあうことができる）効果的に生かすことができる。
【０００９】
請求項２に記載の専有住戸のバルコニー構造は、請求項１に記載の考案と同様に、膨出空間部１ａにテーブル７と椅子８を置いて、食事やお茶を楽しむことができる。
【００１０】
また、膨出空間部１ａに近接する外壁３に窓部４を形成し、その窓部４の室内側にキッチン台５を設け、室外側にカウンター６を設けたので、キッチン台５で調理した料理などを窓部４を通してカウンター６に置き、そこから膨出空間部１ａに置いたテーブル７に運ぶことができる。また、テーブル７の皿などを、カウンター６と窓部４を通してキッチン台５に戻すことができる。従って、料理などの運搬および後片づけを容易に行うことができる。
【考案を実施するための最良の形態】
【００１１】
本考案に係るマンションの専有住戸のバルコニー構造の実施形態を、図１および図２に示す。これは、マンションの専有住戸のバルコニー構造であり、バルコニー１の一方端部に、平面円形状のテーブル７と、その周りに四つの椅子８を配置することのできる広さで、当該バルコニー１の残部よりも室外側に膨出した膨出空間部１ａを設けている。このバルコニー１には、居間・食事室２の掃き出し窓２ａから出入り自在としている。
【００１２】
また、膨出空間部１ａに近接する外壁３に窓部４を形成し、その窓部４の室内側にキッチン台５を設けると共に、室外側にカウンター６を設けている。
【００１３】
こうした構成のバルコニー構造においては、膨出空間部１ａに平面円形状のテーブル７と、その周囲に四つの椅子８を置き、そこで食事をしたり、お茶を楽しむといった生活を、外気と自然に直接触れながら行うことができる。
【００１４】
また、キッチン台５で調理した料理などを窓部４を通してカウンター６に置き、そこから膨出空間部１ａに置いたテーブル７に運ぶことができる。また、テーブル７の皿などをカウンター６と窓部４を通してキッチン台５に運ぶこともできる。従って、料理などの運搬および後片づけを容易に行うことができる。
【００１５】
なお、テーブル７には料理や飲み物だけでなく、テレビやラジオなどを置いて、ナイター観戦や音楽鑑賞などを行うこともできる。また、室内の居間・食事室２で行っているその他のこと（例えば、読書や編み物など）を行うこともできる。
【００１６】
上記した本実施形態における膨出空間部１ａは、平面湾曲形状をなしているが、本考案はこうした形状に限定されるものではなく、平面矩形状などの他の形状に設定することもできる。また、バルコニー１への出入りは、居間・食事室２の掃き出し窓２ａからに限定されるものではなく、他の居室１０、あるいは台所９や廊下１１から出入りできるようにしても良い。
【図面の簡単な説明】
【００１７】
【図１】本考案に係るマンションの専有住戸のバルコニー構造の実施形態を示す平面図である。
【図２】図１のＡ矢視図である。
【符号の説明】
【００１８】
１      バルコニー
１ａ    膨出空間部
２      居間・食事室
２ａ    掃き出し窓
３      外壁
４      窓部
５      キッチン台
６      カウンター
７      テーブル
８      椅子
９      台所
１０    居室
１１    廊下
Ｄ      ドア
【図１】
0003107976.tif 000003
【図２】
0003107976.tif 000004